(57)【特許請求の範囲】
【請求項１】
背面側に配置された物体を正面側から視認可能であり、かつ、映像を表示可能な透明液晶パネルと、
前記透明液晶パネルの正面側に配置される第１の偏光子と、
第１の光源と、
前記透明液晶パネルの背面側かつ前記第１の光源よりも正面側に配置され、かつ、透明な部材で形成され、背面側から入射する前記第１の光源からの光を屈折して前記透明液晶パネルへ向ける複数のプリズムを有するプリズムシートと、
前記プリズムシートと前記第１の光源の間に、前記物体を経由して前記プリズムシートを透過した光の少なくとも一部と重ならないように配置される第２の偏光子と、
前記プリズムシートの背面側において前記プリズムシートと前記物体との間に配置される第３の偏光子と、
前記透明液晶パネル上で映像が表示されている領域について、前記第１の光源から発して前記第２の偏光子を介して入射した光の少なくとも一部が前記第１の偏光子を透過できるように前記透明液晶パネルを制御する制御部と、
を有し、
前記第１の光源から発して前記第２の偏光子及び前記プリズムシートを透過して前記透明液晶パネルへ入射する光の偏光面と、前記物体を経由して前記第３の偏光子及び前記プリズムシートを透過して前記透明液晶パネルへ入射する光の偏光面とが互いに直交するように前記第２の偏光子の透過軸の方向及び前記第３の偏光子の透過軸の方向が設定されることを特徴とする表示装置。
【請求項２】
背面側に配置された物体を正面側から視認可能であり、かつ、映像を表示可能な透明液晶パネルと、
前記透明液晶パネルの正面側に配置される第１の偏光子と、
第１の光源と、
前記透明液晶パネルの背面と前記物体の間に配置され、かつ、透明な部材で形成され、前記第１の光源からの光を前記透明液晶パネルへ向けて反射する複数のプリズムを有する導光素子と、
前記導光素子と前記透明液晶パネルの間において、前記第１の光源から発し、前記複数のプリズムの何れかで反射された光が透過し、かつ、前記物体を経由して前記導光素子を透過した光の少なくとも一部と重ならないように配置される第２の偏光子と、
前記透明液晶パネル上で映像が表示されている領域について、前記第１の光源から発して前記第２の偏光子を介して入射した光の少なくとも一部が前記第１の偏光子を透過できるように前記透明液晶パネルを制御する制御部と、
を有することを特徴とする表示装置。
【請求項３】
前記複数のプリズムのそれぞれは、前記第１の光源に対して凹面状に形成される反射面を有する、請求項２に記載の表示装置。
【請求項４】
前記第１の光源は、複数の発光素子を有し、
前記複数のプリズムのそれぞれは、前記複数の発光素子のそれぞれから発した光を、前記第２の偏光子の互いに異なる位置へ向けて反射する、請求項２に記載の表示装置。
【請求項５】
前記第２の偏光子と前記導光素子の間において、前記第１の光源から発し、前記複数のプリズムの何れかで反射された光を拡散させ、かつ、前記物体を経由して前記導光素子を透過した光の少なくとも一部と重ならないように配置される拡散部材をさらに有する、請求項２に記載の表示装置。
【請求項６】
前記制御部は、前記第１の光源から発して前記導光素子を通った後に前記拡散部材により拡散された光のうち、前記第２の偏光子を透過した第１の方向への第１の光が透過する、前記透明液晶パネルの第１の画素群に、所定の被写体を前記第１の方向から見た像が表示されるよう、当該第１の光の偏光面を回転させる電圧を印加し、一方、前記第１の光源から発して前記導光素子を通った後に前記拡散部材により拡散された光のうち、前記第２の偏光子を透過した第２の方向への第２の光が透過する、前記透明液晶パネルの第２の画素群に、前記所定の被写体を前記第２の方向から見た像が表示されるよう、当該第２の光の偏光面を回転させる電圧を印加する、請求項５に記載の表示装置。
【請求項７】
背面側に配置された物体を正面側から視認可能であり、かつ、映像を表示可能な透明液晶パネルと、
前記透明液晶パネルの正面側及び背面側の何れか一方に配置される第１の偏光子と、
第１の光源と、
前記透明液晶パネルの正面側及び背面側の他方に配置され、かつ、透明な部材で形成され、前記第１の光源からの光を前記透明液晶パネルへ向ける導光素子と、
前記導光素子と前記透明液晶パネルの間、または前記導光素子と前記第１の光源の間に、前記物体を経由して前記導光素子を透過した光の少なくとも一部と重ならないように配置される第２の偏光子と、
前記透明液晶パネル上で映像が表示されている領域について、前記第１の光源から発して前記第２の偏光子を介して入射した光の少なくとも一部が前記第１の偏光子を透過できるように前記透明液晶パネルを制御する制御部と、
を有し、
前記第１の光源は、複数の発光素子を有し、かつ、前記導光素子は、前記第１の光源からの光を前記透明液晶パネルへ向けて反射する複数のプリズムを有し、
前記制御部は、前記複数の発光素子のそれぞれから発し、前記複数のプリズムにより第１の方向へ向けて反射され、かつ、前記第２の偏光子を透過した第１の光が透過する、前記透明液晶パネルの第１の画素群に、所定の被写体を前記第１の方向から見た像が表示されるよう、当該第１の光の偏光面を回転させる電圧を印加し、一方、前記複数の発光素子のそれぞれから発し、前記複数のプリズムにより第２の方向へ向けて反射され、かつ、前記第２の偏光子を透過した第２の光が透過する、前記透明液晶パネルの第２の画素群に、前記所定の被写体を前記第２の方向から見た像が表示されるよう、当該第２の光の偏光面を回転させる電圧を印加することを特徴とする表示装置。
【請求項８】
前記物体と前記導光素子の間に配置される第３の偏光子をさらに有し、
前記第１の光源から発し、前記第２の偏光子を透過して前記透明液晶パネルに入射した光の偏光面と、前記物体を経由して前記第３の偏光子及び前記導光素子を透過して前記透明液晶パネルに入射した光の偏光面とが互いに直交するように、前記第２の偏光子の透過軸の方向と前記第３の偏光子の透過軸の方向が設定される、請求項２〜７の何れか一項に記載の表示装置。
【発明の詳細な説明】
【技術分野】
【０００１】
本発明は、表示物体に映像を重畳して表示可能な表示装置に関する。
【背景技術】
【０００２】
近年、背面に位置する表示物体を透過して見ることが可能な透明液晶パネルを利用した表示装置が提案されている（例えば、特許文献１を参照）。
【０００３】
例えば、特許文献１に開示された展示装置は、観察側に透明液晶パネル、背面側に調光パネルを備え、調光パネルの任意の領域をセル単位で透過あるいは不透過とすることにより、展示物と透明液晶パネルの像情報を同時に観察する際に多彩な見せ方を可能としている。
【先行技術文献】
【特許文献】
【０００４】
【特許文献１】特開２０１３−１９８５６３号公報
【発明の概要】
【発明が解決しようとする課題】
【０００５】
しかしながら、特許文献１に開示された展示装置では、展示物と透明液晶パネルの像情報を同時に見せたい場合に、展示物を照明する光源からの光で透明液晶パネルの像情報も照明することになる。そのため、その展示装置は、像情報を照明する光の明るさが不足し、展示物と透明液晶パネルの像情報を同時に明りょうに表示できないことがある。
【０００６】
そこで、本発明は、透明液晶パネルの背面に位置する表示物体と透明液晶パネル上に表示される映像の両方を同時に且つ明りょうに表示できる表示装置を提供することを目的とする。
【課題を解決するための手段】
【０００７】
本発明の一つの形態として、表示装置が提供される。この表示装置は、背面側に配置された物体を正面側から視認可能であり、かつ、映像を表示可能な透明液晶パネルと、透明液晶パネルの正面側及び背面側の何れか一方に配置される第１の偏光子と、第１の光源と、透明液晶パネルの正面側及び背面側の他方に配置され、かつ、透明な部材で形成され、第１の光源からの光を透明液晶パネルへ向ける導光素子と、導光素子と透明液晶パネルの間、または導光素子と第１の光源の間に、物体を経由して導光素子を透過した光の少なくとも一部と重ならないように配置される第２の偏光子と、透明液晶パネル上で映像が表示されている領域について、第１の光源から発して第２の偏光子を介して入射した光の少なくとも一部が第１の偏光子を透過できるように透明液晶パネルを制御する制御部とを有する。
【０００８】
この表示装置において、導光素子は透明液晶パネルの背面と物体の間に配置され、かつ、第１の光源からの光を透明液晶パネルへ向けて反射する複数のプリズムを有し、第２の偏光子は、導光素子と透明液晶パネルの間において、第１の光源から発し、複数のプリズムの何れかで反射された光が透過し、かつ、物体を経由して導光素子を透過した光の少なくとも一部と重ならないように配置されることが好ましい。
【０００９】
この場合において、複数のプリズムのそれぞれは、第１の光源に対して凹面状に形成される反射面を有することが好ましい。
【００１０】
あるいは、第１の光源は、複数の発光素子を有し、複数のプリズムのそれぞれは、複数の発光素子のそれぞれから発した光を、第２の偏光子の異なる位置へ向けて反射することが好ましい。
【００１１】
あるいはまた、この表示装置は、第２の偏光子と導光素子の間において、第１の光源から発し、複数のプリズムの何れかで反射された光を拡散させ、かつ、物体を経由して導光素子を透過した光の少なくとも一部と重ならないように配置される拡散部材をさらに有することが好ましい。
【００１２】
この場合において、制御部は、第１の光源から発して導光素子を通った後に拡散部材により拡散された光のうち、第２の偏光子を透過した第１の方向への第１の光が透過する、透明液晶パネルの第１の画素群に、所定の被写体を第１の方向から見た像が表示されるよう、第１の光の偏光面を回転させる電圧を印加し、一方、第１の光源から発して導光素子を通った後に拡散部材により拡散された光のうち、第２の偏光子を透過した第２の方向への第２の光が透過する、透明液晶パネルの第２の画素群に、所定の被写体を第２の方向から見た像が表示されるよう、第２の光の偏光面を回転させる電圧を印加することが好ましい。
【００１３】
あるいはまた、この表示装置において、第１の光源は、複数の発光素子を有し、かつ、導光素子は、第１の光源からの光を透明液晶パネルへ向けて反射する複数のプリズムを有し、制御部は、複数の発光素子のそれぞれから発し、複数のプリズムにより第１の方向へ向けて反射され、かつ、第２の偏光子を透過した第１の光が透過する、透明液晶パネルの第１の画素群に、所定の被写体を第１の方向から見た像が表示されるよう、第１の光の偏光面を回転させる電圧を印加し、一方、複数の発光素子のそれぞれから発し、複数のプリズムにより第２の方向へ向けて反射され、かつ、第２の偏光子を透過した第２の光が透過する、透明液晶パネルの第２の画素群に、所定の被写体を第２の方向から見た像が表示されるよう、第２の光の偏光面を回転させる電圧を印加することが好ましい。
【００１４】
また、この表示装置において、第２の偏光子は導光素子と第１の光源の間に配置されることが好ましい。
【００１５】
さらにまた、この表示装置は、物体と導光素子の間に配置される第３の偏光子をさらに有することが好ましい。この場合において、第１の光源から発し、第２の偏光子を透過して透明液晶パネルに入射した光の偏光面と、物体を経由して第３の偏光子及び導光素子を透過して透明液晶パネルに入射した光の偏光面とが互いに直交するように、第２の偏光子の透過軸の方向と第３の偏光子の透過軸の方向が設定されることが好ましい。
【発明の効果】
【００１６】
本発明に係る表示装置は、透明液晶パネルの背面に位置する表示物体と透明液晶パネル上に表示される映像の両方を同時に且つ明りょうに表示できるという効果を奏する。
【図面の簡単な説明】
【００１７】
【図１】本発明の一つの実施形態に係る表示装置の概略構成図である。
【図２】（ａ）は、正面側から見た、拡散面の部分拡大図である。（ｂ）は、拡散面に形成される一つのプリズムの概略斜視図である。
【図３】（ａ）は、表示物体と透明液晶パネル上の映像を同時に見せる場合に、表示装置を正面から見た図であり、（ｂ）は、対応する光の透過状態を示す図である。
【図４】変形例による、表示装置の概略側面図である。
【図５】（ａ）は、変形例による、プリズムの配置の一例を示す、導光板の拡散面の概略正面図であり、（ｂ）は、一つのプリズムの概略斜視図であり、（ｃ）は、一つのプリズムの概略正面図である。
【図６】変形例による、入射面側から見た、第１の光源からの光の経路を示す模式図である。
【図７】他の変形例による表示装置の概略側面図である。
【図８】さらに他の変形例による表示装置の側面断面図である。
【図９】さらに他の変形例による表示装置の概略側面図である。
【図１０】（ａ）〜（ｃ）は、それぞれ、偏光子が離散的に形成される変形例による表示装置の概略側面図である。
【図１１】（ａ）及び（ｂ）は、それぞれ、フロントライト型の導光板が使用される表示装置の概略側面図である。
【図１２】上記の実施形態または変形例による表示装置を有する弾球遊技機を遊技者側から見た、その弾球遊技機の概略斜視図である。
【発明を実施するための形態】
【００１８】
以下、本発明の実施形態による表示装置を、図を参照しつつ説明する。この表示装置は、背面に位置する表示物体を透過して視認可能な透明液晶パネルを利用する。そしてこの表示装置は、表示物体を経由して導光板を透過する光と重ならないように配置された偏光子により、透明液晶パネル上に表示された映像を表示するためのバックライトの偏光方向と、表示物体を照明する光源からの光の偏光方向とを互いに直交させることで、透明液晶パネル上で画素ごとにバックライトからの光及び光源からの光の何れを透過させるかを制御して、映像と表示物体とを、同時に、かつ、明りょうに表示することを可能とする。
なお、以下では、説明の便宜上、観察者と対向する側を正面とし、その反対側を背面とする。
【００１９】
図１は、本発明の一つの実施形態に係る表示装置の概略構成図である。表示装置１は、透明液晶パネル２と、導光板３と、第１の光源４と、第２の光源５と、第１の偏光子６と、第２の偏光子７と、第３の偏光子８と、制御部９とを有する。
【００２０】
透明液晶パネル２の正面側には、第１の偏光子６が配置され、一方、透明液晶パネル２の背面側には導光板３が配置される。また、導光板３の入射面３ａと対向するように第１の光源４が配置される。導光板３の背面側には、観察者に視認させる表示物体１０が配置される。そして表示物体１０を照明し、表示物体１０で反射または散乱された光が導光板３及び透明液晶パネル２を透過するように、第２の光源５が配置される。また、第１の光源４と導光板３の間に第２の偏光子７が配置され、一方、表示物体１０と導光板３の間に第３の偏光子８が配置される。
【００２１】
透明液晶パネル２は、映像を表示可能な表示領域を有し、第１の光源４から発して第２の偏光子７及び導光板３を通って入射する光の偏光面を制御部９からの映像信号に従って画素単位で制御することで、その映像信号に応じた映像を表示領域に表示する。例えば、透明液晶パネル２は、液晶分子が封入された液晶層と、液晶層を挟んで対向するように配置される、ＩＴＯなどで形成された２枚の透明電極と、液晶層及び透明電極を挟んで対向するように配置される、ガラスまたは透明樹脂といった透明な２枚の透明基板とを有する。さらに、液晶層と透明電極の間に、液晶分子の配向方向を規定するための配向膜が形成されてもよい。また透明電極のうちの一方は、映像信号に応じて画素単位で印加する電圧を調整可能なように、マトリクス状に形成される。さらに、透明液晶パネル２がカラーの映像を表示できるようにするために、一方の透明電極と透明基板との間に、画素単位の所定のパターンで配置されたカラーフィルタが設けられてもよい。
【００２２】
２枚の配向膜は、例えば、液晶層内の液晶分子を所定方向に配向させる。例えば、液晶層に含まれる液晶分子がツイストネマティック型に配列される場合、２枚の配向膜は、配向方向が互いに直交するように配置される。
【００２３】
導光板３は、導光素子の一例である。そして導光板３は、透明液晶パネル２の表示領域よりも大きい面積を持つシート状の部材であり、透明液晶パネル２の背面と対向するように配置される。
【００２４】
導光板３の側面の一面に、第１の光源４と対向する入射面３ａが形成され、第１の光源４からの光は、第２の偏光子７を通った後、入射面３ａから導光板３の内部に入射する。そして導光板３の内部を伝搬した光は、背面側に位置する拡散面３ｂにて全反射された後、透明液晶パネル２の背面と対向する出射面３ｃから出射して、透明液晶パネル２に入射する。なお、入射面３ａは、第１の光源４から入射する光の指向性を高めるようコリメートレンズとして動作するように、第１の光源４へ向けて凸面状に形成されてもよい。
【００２５】
また、第２の光源５が点灯している場合、第２の光源５からの光は、表示物体１０で反射または散乱され、第３の偏光子８を通った後、導光板３の拡散面３ｂから導光板３に入射し、そのまま導光板３を透過して、出射面３ｃから透明液晶パネル２へ向けて出射する。
【００２６】
本実施形態では、導光板３は、例えば、平板状のガラスの背面側に、拡散面３ｂを有する拡散シートを貼り付けることで作成される。そしてこの拡散シートは、例えば、可視光に対して透明な紫外線硬化樹脂により形成され、後述するように、導光板３内を伝搬する光を反射するための複数のプリズムを有するパターンが転写される。あるいは、導光板３は、ポリメチルメタクリレート（ＰＭＭＡ）、ポリカーボネート、シクロオレフィンポリマーといった、可視光に対して透明な樹脂を成型することで形成される。その際、樹脂には、熱転写により、拡散面３ｂにおいて導光板３内を伝搬する光を反射するための複数のプリズムを有するパターンが形成され、その樹脂が、内部応力が生じないようにゆっくりと冷却することで導光板３は形成される。
【００２７】
このように導光板３を形成することで、導光板３自身が複屈折性を有することを防止できる。これにより、導光板３に入射した光の偏光面が導光板３内を伝搬又は透過する際に回転したり、直線偏光から楕円偏光に変わることを抑制できる。
【００２８】
図２（ａ）は、正面側から見た、拡散面３ｂの部分拡大図である。拡散面３ｂには、入射面３ａから入射した光を反射して、出射面３ｃ全体から均一に出射させ、かつ、透明液晶パネル２に対して略垂直に入射するように、複数のプリズム１１が所定のピッチで千鳥足状に配置されている。なお、複数のプリズム１１は、所定のピッチは格子状に配置されてもよい。なお、所定のピッチは、例えば、100μm程度に設定される。
【００２９】
図２（ｂ）は、プリズム１１の概略斜視図である。複数のプリズム１１のそれぞれは、例えば、拡散面３ｂにおいて所定の長さを持つ略三角形状の溝として形成される。そして複数のプリズム１１のそれぞれは、拡散面３ｂに対して所定の角度αをなし、かつ、第１の光源４と対向するように向けられた反射面１１ａを有する。なお、所定の角度αは、導光板３へ入射した第１の光源４からの光を全反射させて、出射面３ｃへ向ける角度、例えば、拡散面３ｂに対して37〜45°をなすように設定される。また所定の長さは、例えば、55μm程度であり、溝の幅は、例えば、27.5μm程度である。
【００３０】
なお、拡散面３ｂの面積に占める、プリズム１１が形成された領域の面積の比である配置密度は、観察者が、導光板３の背後にある表示物体１０を、透明な部材を介して、あるいは、何もない空間を介して視認していると感じられる配置密度の上限以下となることが好ましい。そこで、例えば、配置密度が30.0％以下となるように各プリズム１１は配置されることが好ましい。
【００３１】
あるいは、導光板３について、全透過光に対する拡散光の割合を表すヘイズ値が、観察者が、導光板３の背後にある表示物体１０を、透明な部材を介して、あるいは、何もない空間を介して視認していると感じられるヘイズ値の上限以下となることが好ましい。例えば、ヘイズ値が28％以下となるように各プリズム１１は配置されることが好ましい。
【００３２】
第１の光源４は、例えば、白色発光ダイオードまたは蛍光灯といった発光素子を有し、その発光面が導光板３の入射面３ａと対向するように配置される。例えば、第１の光源４は、その発光強度が最も強い方向が入射面３ａに対して直交するように配置される。なお、第１の光源４は、複数の発光素子を有してもよい。この場合、複数の発光素子は、例えば、入射面３ａの長手方向に沿って、透明液晶パネル２の表示領域の幅と略等しい範囲にわたって一列に並べて配置される。そして第１の光源４は、制御部９からの制御信号に応じて点灯または消灯する。例えば、透明液晶パネル２に映像を表示する場合には、第１の光源４は点灯される。一方、透明液晶パネル２に映像を表示しない場合には、第１の光源４は消灯されてもよい。また、第１の光源４が複数の発光素子を有し、かつ、透明液晶パネル２の一部に映像を表示させる場合には、その複数の発光素子のうち、その一部の照明に利用される発光素子のみが点灯されてもよい。あるいは、複数の発光素子は、互いに異なる発光色を有し、透明液晶パネル２に表示する映像の色に応じて、点灯する発光素子が制御されてもよい。
【００３３】
第２の光源５は、例えば、白色発光ダイオードまたは蛍光灯といった発光素子を有し、導光板３の背面側に配置された表示物体１０を照明するように配置される。なお、表示物体１０を特定の色の光源で照明したい場合には、その特定の色で発光するダイオードなどの発光素子が第２の光源５として利用されてもよい。なお、表示物体１０が不透明な物体である場合、表示物体１０で反射または散乱された光が導光板３へ入射するように、第２の光源５は、表示物体１０よりも導光板３に近い位置に配置されることが好ましい。また、第２の光源５は、複数の発光素子を有してもよい。例えば、第２の光源５は、表示物体１０の周囲を取り囲むように配置された複数の発光素子を有してもよい。さらに、第２の光源５自体が、透明液晶パネル２の表示領域を介して観察される表示物体１０であってもよい。さらに、第２の光源５からの光が導光板３の入射面３ａに直接入射しないように第２の光源５は配置されることが好ましい。そして第２の光源５は、第１の光源４と同様に、制御部９からの制御信号に応じて点灯または消灯する。例えば、観察者に表示物体１０を視認させたくない場合には、第２の光源５は消灯される。一方、観察者に表示物体１０を視認させる場合には、第２の光源５は点灯される。
また、変形例によれば、第２の光源５は省略されてもよい。この場合には、表示物体１０は、太陽光など、表示装置１の外部からの環境光によって照明されてもよい。
【００３４】
第１の偏光子６〜第３の偏光子８は、それぞれ、特定方向の偏光面を持つ偏光成分を透過させる素子である。そして第１の偏光子６は、第１の偏光子６を通る光の偏光面と第１の偏光子６の透過軸とがなす角が小さくなるほど高くなる透過率でその光を透過させる。本実施形態では、第１の偏光子６は、透明液晶パネル２の正面側に、透明液晶パネル２の表示領域を覆うように配置される。したがって、制御部９からの映像信号に応じて、透明液晶パネル２は、画素単位で、第１の光源４からの光、または第２の光源５により照明された、表示物体１０からの光のそれぞれの第１の偏光子６における透過率を調整できる。すなわち、第１の光源４から発し、第２の偏光子７及び導光板３を経由して透明液晶パネル２に入射した光の偏光面が、透明液晶パネル２の液晶層を透過する際に、その液晶層に印加された電圧に応じて回転することで、その光のうち、第１の偏光子６を透過する光量が変化する。同様に、第２の光源５から発し、表示物体１０で反射または散乱された後、第３の偏光子８及び導光板３を経由して透明液晶パネル２に入射した光の偏光面が、透明液晶パネル２の液晶層を透過する際に、その液晶層に印加された電圧に応じて回転することで、その光のうち、第１の偏光子６を透過する光量が変化する。
【００３５】
第２の偏光子７は、第１の光源４と導光板３の入射面３ａとの間に、入射面３ａと略平行に配置される。また第２の偏光子７は、第１の光源４からの光が第２の偏光子７を経由せずに入射面３ａに達することがない程度のサイズを有する。これにより、第１の光源４から発し、第２の偏光子７を透過して導光板３に入射する光は直線偏光となる。また、第１の光源４と導光板３の入射面３ａとの間に配置されることで、第２の偏光子７は小型化できる。
【００３６】
第３の偏光子８は、透明液晶パネル２の表示領域と同程度のサイズを持つシート状の部材であり、表示物体１０と導光板３の背面（すなわち、拡散面３ｂ）との間に、背面と略平行に配置される。これにより、第２の光源５から発し、表示物体１０にて反射または散乱されてから第３の偏光子８を透過して導光板３に入射する光は直線偏光となる。
【００３７】
ただし、第２の偏光子７の透過軸と、第３の偏光子８の透過軸とは、第１の光源４から発し、第２の偏光子７及び導光板３を介して透明液晶パネル２に入射する直線偏光の偏光面と、第２の光源５から発し、表示物体１０にて反射または散乱されてから第３の偏光子８及び導光板３を介して透明液晶パネル２に入射する直線偏光の偏光面とが互いに直交するように向けられる。例えば、第２の偏光子７の透過軸が拡散面３ｂ及び出射面３ｃと略平行（図１における、紙面の法線方向）となるように、第２の偏光子７が配置され、一方、第３の偏光子８の透過軸が入射面３ａと直交する方向（図１における、紙面と平行方向）となるように、第３の偏光子８は配置される。これにより、透明液晶パネル２は、第１の光源４からの光に対する透過率と、第２の光源５からの光に対する透過率を異ならせることができる。
【００３８】
制御部９は、例えば、プロセッサと、メモリ回路と、透明液晶パネル２の駆動回路と、各光源の駆動回路とを有する。そして制御部９は、上位の制御装置（図示せず）からの制御信号に応じて、透明液晶パネル２、第１の光源４及び第２の光源５を制御する。透明液晶パネル２の正面側に位置する観察者から表示物体１０を見えなくする場合には、制御部９は、第２の光源５を消灯する。一方、観察者から表示物体１０を見えるようにする場合には、制御部９は、第２の光源５を点灯する。また、透明液晶パネル２に映像を表示する場合には、制御部９は、第１の光源４を点灯する。一方、透明液晶パネル２に映像を表示しない場合には、制御部９は、第１の光源４を消灯してもよい。
【００３９】
また、制御部９は、透明液晶パネル２に表示させる映像と表示物体１０とを観察者に同時に見せる場合には、第１の光源４及び第２の光源５を共に点灯させるとともに、透明液晶パネル２に印加する電圧を画素単位で調整する。そして制御部９は、映像が表示される領域に含まれる画素については、第１の光源４から発して第２の偏光子７及び導光板３を介して透明液晶パネル２に入射した光の少なくとも一部が、透明液晶パネル２を透過することで第１の偏光子６を透過できるように、印加する電圧を調整する。これにより、観察者は、透明液晶パネル２に表示された映像を見ることができる。なお、上述したように、第１の光源４からの光の偏光面と、第２の光源５からの光の偏光面とは、第２の偏光子７及び第３の偏光子８により、透明液晶パネル２に入射する際、互いに直交している。したがって、映像が表示される領域では、第１の光源４からの光に対する第１の偏光子６の透過率が高くなるほど、第２の光源５からの光に対する第１の偏光子６の透過率は低くなる。
【００４０】
一方、映像が表示される領域外の画素については、制御部９は、表示物体１０から第２の偏光子及び導光板３を介して透明液晶パネル２に入射した光の偏光面が、透明液晶パネル２を透過することで、透明液晶パネル２の第１の偏光子６の透過軸と平行になるように、すなわち、その光が第１の偏光子６を透過するように、印加する電圧を調整する。これにより、第１の光源４から発して第２の偏光子７及び導光板３を介して透明液晶パネル２に入射した光の偏光面は、透明液晶パネル２を透過することで透明液晶パネル２の第１の偏光子６の透過軸と直交するので、その光は第１の偏光子６を透過しない。そのため、その画素については、第１の光源４からの光は、表示物体１０の見え方に影響を与えない。そのため、第１の光源４が点灯していても、映像が表示される領域外では、表示物体１０が見え難くなることはない。
【００４１】
図３（ａ）は、表示物体１０と透明液晶パネル２上の映像を同時に見せる場合に、表示装置１を正面から見た図であり、図３（ｂ）は、対応する光の透過状態を示す図である。図３（ａ）及び図３（ｂ）に示されるように、透明液晶パネル２上の映像表示領域３００では、第１の光源４からの光の少なくとも一部が第１の偏光子６を透過するように、各画素において印加される電圧が調節される。一方、映像表示領域３００以外では、第２の光源５から発し、表示物体１０で反射または散乱された光が第１の偏光子６を透過し、かつ、第１の光源４からの光が第１の偏光子６を透過しないように、各画素において印加される電圧が調節される。そのため、観察者は、透明液晶パネル２上の映像と表示物体１０とを同時に、かつ、はっきりと視認することができる。
【００４２】
なお、透明液晶パネル２がカラー表示可能なパネルである場合、透明液晶パネル２上の映像表示領域では、第１の光源４からの光が透明液晶パネル２を透過することで、その映像の色となるように、映像表示領域内の各画素の電圧が調節される。この場合、透明液晶パネル２に映像を表示した状態で、第１の光源４を消灯すると、映像表示領域では、第２の光源５からの光によって、本来の映像の色に対する補色でその映像が表示されることになる。したがって、第１の光源４を消灯した状態で、透明液晶パネル２に映像も表示させる場合には、制御部９は、その映像の本来の色の補色となるように、映像表示領域に含まれる各画素に印加する電圧を調節すればよい。
【００４３】
以上に説明してきたように、この表示装置は、透明液晶パネル上に表示される映像を照明するための第１の光源からの光の偏光面と、透明液晶パネルの背面側に配置された表示物体からの光の偏光面とを直交させる。これにより、この表示装置は、透明液晶パネルにおいて、映像が表示される領域では、映像照明用の光を主として透過させ、一方、映像が表示される領域以外では、表示物体からの光を主として透過させることができる。そのため、この表示装置は、透明液晶パネルの正面側に位置する観察者に対して、透明液晶パネル上に表示される映像と、透明液晶パネルの背面側に配置された表示物体とを同時に、かつ、明りょうに見せることができる。
【００４４】
変形例によれば、導光板３の拡散面３ｂに設けられる各プリズムは、第１の光源４から発して導光板３内に入射した光を、導光板３と透明液晶パネル２の間の特定の小領域を通るように反射させるべく、形成されてもよい。この場合には、第１の光源４からの光の偏光方向を規定する第２の偏光子７は、導光板３と透明液晶パネル２の間において、第１の光源４からの光が透過し、かつ、第２の光源５から発して表示物体１０により反射または散乱された光の少なくとも一部が重ならないように配置されてもよい。
【００４５】
図４は、この変形例による、表示装置４１の概略側面図である。この変形例では、複数の第２の偏光子７が、導光板３の出射面３ｃと透明液晶パネル２の背面との間において、離散的に配置される。すなわち、導光板３の出射面３ｃと透明液晶パネル２の背面との間には、第２の偏光子７が設けられた小領域と、第２の偏光子７が設けられていないその他の領域とが、交互に位置する。また、第２の偏光子７のそれぞれの透過軸と、第３の偏光子８の透過軸とは、互いに直交するように、第２の偏光子７及び第３の偏光子８は配置される。また、第１の光源４からの光は、コリメートレンズ１２を介して導光板３に入射する。以下では、上記の実施形態と異なる点について説明する。
【００４６】
第２の偏光子７が設けられた小領域の面積の合計は、透明液晶パネル２の表示領域の面積の半分以下となることが好ましい。これにより、第２の光源５から発し、表示物体１０で反射または散乱された後に第３の偏光子８及び導光板３を透過した光が過度に第２の偏光子７に遮られることが防止され、正面側から見て表示物体１０の明るさが不十分となることを抑制できる。
【００４７】
図５（ａ）は、この変形例による、プリズムの配置の一例を示す、導光板３の拡散面３ｂの概略正面図であり、図５（ｂ）は、一つのプリズムの概略斜視図であり、図５（ｃ）は、一つのプリズムの概略正面図である。
【００４８】
この例では、第１の光源４は複数の発光素子を有し、各発光素子からの光は、入射面３ａと発光素子との間に設けられたコリメートレンズ１２により、略平行光となって導光板３内に入射する。なお、コリメートレンズ１２は、例えば、可視光に対して透明な樹脂を射出成型することにより形成される。また、コリメートレンズ１２は、収差補正のために、コリメートレンズ１２の光軸から離れるにつれて球面よりも曲率が弱くなる、非球面レンズとして形成されてもよい。
【００４９】
拡散面３ｂに形成される各プリズム１３は、第１の光源４側に対して凹状の反射面１３ａを持つ、円弧状のプリズムとして形成される。そして各プリズム１３は、例えば、拡散面３ｂと平行な面において、中心角が60°〜90°を持ち、第１の光源４からの光の入射方向に対して線対称となるように配置される。また、第１の光源４からの光の入射方向と直交する方向における幅は、例えば、600μmであり、拡散面３ｂからの高さは、例えば、20μmである。そして反射面１３ａの傾斜角αは、例えば、35°である。
【００５０】
各プリズム１３が上記のように形成されることで、第１の光源４から発して導光板３内に入射した光は、何れかのプリズム１３で反射されることで、プリズムごとに、導光板３と透明液晶パネル２の間で略一点に集光することとなる。そのため、プリズム１３のそれぞれごとに、その集光点をカバーするように第２の偏光子７が配置される。
【００５１】
この変形例においても、透明液晶パネル２は、第１の光源４からの光と第２の光源５から発して表示物体１０により反射または散乱された光とにより照明される。そのため、制御部９が、上記の実施形態と同様に、透明液晶パネル２上の映像表示領域内では、第１の光源４から発し、第２の偏光子７を透過した光の少なくとも一部が第１の偏光子６を透過するよう、各画素に印加する電圧を調節し、一方、透明液晶パネル２上の映像表示領域外では、第２の光源５から発し、第３の偏光子８を透過した光の偏光面が第１の偏光子６の透過軸と略平行となるよう、各画素に印加する電圧を調節すればよい。これにより、この変形例による表示装置も、透明液晶パネル上の映像と表示物体とを同時に、かつ、明りょうに見せることができる。また、この変形例では、第１の光源４からの光は、導光板３を通った後に第２の偏光子７に入射するので、導光板３の複屈折性に関する条件が緩和されるので、導光板３の製造が容易となる。
【００５２】
また、上記の変形例において、各プリズム１３に、第１の光源４が有する複数の発光素子からの光が入射するようにしてもよい。この場合には、各発光素子から導光板３に入射した光が拡がるように、コリメートレンズ１２は省略されてもよい。さらに、拡散面３ｂには、プリズム１３の代わりに、図２（ｂ）に示されるような三角柱状のプリズム１１が形成されてもよい。
【００５３】
図６は、この変形例による、入射面３ａ側から見た、第１の光源４からの光の経路を示す模式図である。この変形例では、各プリズム１１と正対する発光素子からの光線６０１は、プリズム１１にて、拡散面３ｂの法線方向へ向けて反射される。一方、各プリズム１１よりも左側に位置する発光素子からの光線６０２は、プリズム１１に対して左側から斜め入射するため、プリズム１１にて、法線方向よりも右斜め方向へ向けて反射される。また、各プリズム１１よりも右側に位置する発光素子からの光線６０３は、プリズム１１に対して右側から斜め入射するため、プリズム１１にて、法線方向よりも左斜め方向へ向けて反射される。その結果、一つの第２の偏光子７について、複数のプリズム１１からの互いに異なる方向を向いた光が透過する。すなわち、第２の偏光子７を通り、かつ、透明液晶パネル２を照明する光の拡がり角を広くすることができる。そのため、透明液晶パネル２に表示される映像を視認できる角度を広くすることができる。
【００５４】
さらに他の変形例によれば、複数の第２の偏光子７のそれぞれについて、その第２の偏光子７と導光板３の出射面３ｃとの間に拡散シートが配置されてもよい。
【００５５】
図７は、この変形例による表示装置５１の概略側面図である。この変形例では、図４に示された表示装置４１と比較して、複数の第２の偏光子７のそれぞれについて、その第２の偏光子７と導光板３の出射面３ｃとの間に拡散シート１４が配置されている点で異なる。
【００５６】
この変形例では、第１の光源４から発し、導光板３を経由した光は、拡散シート１４で拡散された後に第２の偏光子７を透過する。そのため、この変形例による表示装置５１は、第２の偏光子７を通り、かつ、透明液晶パネル２を照明する光の拡がり角を広くすることができる。そのため、表示装置５１は、透明液晶パネル２に表示される映像を視認できる角度を広くすることができる。なお、この変形例では、それぞれの拡散シート１４に入射する光は平行光でもよいので、導光板３の拡散面３ｂに形成されるプリズムは、図２（ｂ）に示されるような三角柱状のプリズム１１でもよい。なお、第２の光源５から発し、表示物体１０で反射または散乱されて第３の偏光子８及び導光板３を透過した光が、その偏光面を維持したまま透明液晶パネル２に入射できるように、第２の偏光子７が設けられていないところには、拡散シート１４は設けられない。
【００５７】
さらに他の変形例によれば、第１の光源４からの光を透明液晶パネル２へ向けるために、導光板の代わりにプリズムシートが用いられてもよい。
【００５８】
図８は、この変形例による表示装置６１の概略側面図である。この変形例では、図１に示された表示装置１と比較して、透明液晶パネル２と第３の偏光子８との間に、導光板の代わりにプリズムシート３１が設けられている点で異なる。そこで以下では、プリズムシート３１及びその関連部分について説明する。
【００５９】
プリズムシート３１は、導光素子の他の一例である。プリズムシート３１は、透明液晶パネル２の表示領域と同程度のサイズを持つシート状の部材であり、例えば、可視光に対して透明な樹脂で形成される。そしてプリズムシート３１の背面側には、第１の光源４からの光を透明液晶パネル２の方へ向ける複数のプリズム１５が形成される。なお、上記の実施形態と同様に、プリズムシート３１の面積に占める、プリズム１５が形成された領域の面積の比である配置密度が30.0％以下となるか、あるいはヘイズ値が28％以下となるように各プリズム１５は配置されることが好ましい。
【００６０】
この変形例では、第１の光源４からの光は、第２の偏光子７を透過した後、各プリズム１５の第１の光源４と対向する側の面からプリズムシート３１に入射する。そしてその光は、各プリズム１５の第１の光源４と反対側の面にて、透明液晶パネル２の方へ向けて全反射される。また、第２の光源５から発し、表示物体１０にて反射または散乱された光は、プリズムシート３１のプリズム１５が形成されていない部分を透過して、透明液晶パネル２に達する。そのため、この変形例による表示装置６１も、上記の実施形態と同様に、表示物体１０と透明液晶パネル２上に表示される映像とを、同時に、かつ、明りょうに観察者に見せることができる。
【００６１】
図９は、さらに他の変形例による表示装置７１の概略側面図である。この変形例による表示装置７１は、図８に示された表示装置６１と比較して、第２の偏光子７が、プリズムシート３１と透明液晶パネル２の背面との間において、プリズム１５で反射された第１の光源４からの光の経路上に離散的に設けられる点で相違する。この場合も、第２の偏光子７の透過軸は、第３の偏光子８の透過軸とたがいに直交するように、第２の偏光子７及び第３の偏光子８は配置される。そのため、この変形例でも、制御部９は、透明液晶パネル２上に映像が表示される領域に含まれる各画素については第１の光源４からの光の少なくとも一部が第１の偏光子６を透過するように印加する電圧を調節し、一方、その領域以外では、第２の光源５からの光の偏光面が第１の偏光子６の透過軸と略平行となるように印加する電圧を調節する。これにより、この変形例による表示装置７１も、表示物体１０と透明液晶パネル２上の映像とを同時に、かつ、明りょうに、観察者に視認させることができる。
【００６２】
さらに、上記の実施形態または変形例のそれぞれにおいて、第３の偏光子８は省略されてもよい。この場合には、第２の光源５から発し、表示物体１０にて反射または散乱された光の少なくとも一部は、第１の偏光子６しか通らず、透明液晶パネル２に印加する電圧を調節しても、その光に対する第１の偏光子６の透過率は変化しない。そのため、第２の光源５が点灯している間、表示物体１０は常に観察者から視認可能となっている。一方、第１の光源４からの光は、透明液晶パネル２を挟んで配置される二つの偏光子（第２の偏光子７、第１の偏光子６）を透過するので、透明液晶パネル２に印加する電圧を調節することで、その光に対する第１の偏光子６の透過率は変化する。そこで、上記の実施形態または変形例と同様に、制御部９は、透明液晶パネル２上に映像を表示する領域に含まれる各画素については、第１の光源４から発し、第２の偏光子７を透過した光の少なくとも一部が第１の偏光子６を透過するように印加する電圧を調節する。一方、制御部９は、映像を表示する領域外の各画素については、第１の光源４から発し、第２の偏光子７を透過した光の偏光面が第１の偏光子６の透過軸と直交するように印加する電圧を調節する。これにより、この表示装置も、表示物体１０と透明液晶パネル２上の映像とを同時に、かつ、明りょうに、観察者に視認させることができる。
【００６３】
さらに、第３の偏光子８が省略される変形例では、第１の光源４から発した光のみが第１の偏光子６を透過すればよい。そのため、第１の偏光子６も、透明液晶パネル２全体を覆う代わりに、離散的に形成されてもよい。
【００６４】
図１０（ａ）〜図１０（ｃ）は、それぞれ、第１の偏光子６が離散的に形成される変形例による表示装置の概略側面図である。なお、図１０（ａ）〜図１０（ｃ）では、簡単化のため、表示物体、制御部及び第２の光源の図示は省略されている。
【００６５】
図１０（ａ）に示される例では、第２の偏光子７は、導光板３の出射面３ｃと透明液晶パネル２の背面との間に、透明液晶パネル２の表示領域全体を覆うように配置される。一方、第１の偏光子６は、第１の光源４から発し、導光板３の拡散面３ｂにて反射された光が通る領域だけに、離散的に形成される。
【００６６】
図１０（ｂ）に示される例では、図１０（ａ）に示される例と比較して、第２の偏光子７が、第１の光源４と導光板３の入射面３ａとの間に設けられる点で異なる。また、図１０（ｃ）に示される例では、図１０（ａ）に示される例と比較して、第１の偏光子６だけでなく、第２の偏光子７も、第１の光源４から発し、導光板３の拡散面３ｂにて反射された光が通る領域だけに、離散的に形成される。
【００６７】
図１０（ａ）〜図１０（ｃ）の何れに示される例による表示装置も、上記の実施形態または変形例による表示装置と同様に、透明液晶パネル２上に映像を表示する領域に含まれる各画素に印加される電圧と、その領域外の各画素に印加される電圧とを調節することで、表示物体と透明液晶パネル２上の映像とを同時に、かつ、明りょうに、観察者に視認させることができる。
【００６８】
さらに、図１０（ａ）〜図１０（ｃ）のそれぞれに示される変形例において、導光板３の代わりに、図８に示されるプリズムシート３１が用いられてもよい。
【００６９】
第３の偏光子８が省略される、さらに他の変形例によれば、上記の実施形態または変形例で用いられたバックライト型の導光板及びプリズムシートの代わりに、フロントライト型の導光板が用いられてもよい。
【００７０】
図１１（ａ）及び図１１（ｂ）は、それぞれ、フロントライト型の導光板が使用される表示装置の概略側面図である。なお、図１１（ａ）及び図１１（ｂ）では、簡単化のため、表示物体１０、制御部９及び第２の光源５の図示は省略されている。
【００７１】
図１１（ａ）に示される表示装置８１では、フロントライト型の導光板３２は、透明液晶パネル２の正面側に配置される。そして導光板３２の側面には、第１の光源４と対向するように入射面３２ａが形成される。そして入射面３２ａから導光板３２内に入射した、第１の光源４からの光は、導光板３２内を伝搬し、導光板３２の正面側に設けられた拡散面３２ｂにて透明液晶パネル２へ向けて反射される。そのために、拡散面３２ｂには、例えば、図２（ａ）及び図２（ｂ）に示されるプリズム１１と同様に、複数のプリズム１６が格子状、あるいは千鳥足状に配置される。
【００７２】
また、導光板３２の背面側には、複数のプリズム１６の何れかで反射された、第１の光源４からの光が通る領域のそれぞれに、第２の偏光子７が離散的に配置される。また、透明液晶パネル２の背面側に、第１の光源４から発し、導光板３２及び第２の偏光子７を経由した光が到達する位置に、第１の偏光子６が離散的に配置される。この例では、第１の偏光子６は、反射型の偏光子として動作するように、例えば、ワイヤーグリッドタイプまたは多層膜タイプの偏光子とすることができる。
【００７３】
この変形例では、制御部９は、透明液晶パネル２上に映像を表示する領域に含まれる各画素については、第１の光源４から発し、第２の偏光子７を透過した光の少なくとも一部が第１の偏光子６で反射されるように印加する電圧を調節する。一方、制御部９は、映像を表示する領域外の各画素については、第１の光源４から発し、第２の偏光子７を透過した光の偏光面が第１の偏光子６の透過軸と平行となるように印加する電圧を調節する。これにより、映像が表示された領域では、第１の光源４から発した光の少なくとも一部が、第２の偏光子７及び透明液晶パネル２を経由することで、第１の偏光子６により反射される。そのため、その光は、透明液晶パネル２及び導光板３２を通って導光板３２の正面側から出射するので、観察者は、その映像を視認できる。また、映像が表示される領域外では、第１の光源４からの光は、第１の偏光子６で反射されないので、表示物体１０を視認する際に影響を与えない。一方、第２の光源５から発し、透明液晶パネル２の背面側に配置される表示物体１０にて反射または散乱された光は、透明液晶パネル２に印加される電圧にかかわらず、透明液晶パネル２及び導光板３２を通って導光板３２の正面側から出射するので、観察者は、表示物体を視認できる。したがって、この表示装置８１も、表示物体と透明液晶パネル２上の映像とを同時に、かつ、明りょうに、観察者に視認させることができる。
【００７４】
図１１（ｂ）に示される表示装置８２では、図１１（ａ）に示される表示装置８１と比較して、第２の偏光子７が、入射面３２ａと第１の光源４との間に配置される点で異なる。しかし、この表示装置８２も、第１の光源４からの光は、第２の偏光子７及び第１の偏光子６を経由するので、上記と同様に透明液晶パネル２に印加する電圧を調節することで、表示物体と透明液晶パネル２上の映像とを同時に、かつ、明りょうに、観察者に視認させることができる。
【００７５】
さらに、図４または図６に示されるように、第１の光源４から発した光を、複数の互いに異なる方向へ向けて透明液晶パネル２を透過させる表示装置では、透明液晶パネル２の画素ごとに、その画素を通る第１の光源４から発した光の方向に応じて、同一の被写体を異なる方向から見た映像を表示させてもよい。例えば、観察者が所定の位置にいると想定される場合において、制御部は、第１の方向の光が通る画素群について、被写体を第１の方向から見た映像を表示させるよう、第１の方向の光の偏光面を回転させる電圧を印加し、第２の方向の光が通る画素群について、被写体を第２の方向から見た映像を表示させるよう、第２の方向の光の偏光面を回転させる電圧を印加する。これにより、表示装置は、立体的に見える映像を、表示物体に重畳させることができる。
【００７６】
さらに、図１〜図３（ｂ）に示される実施形態、あるいは、図１０（ａ）及び図１０（ｂ）に示される変形例についても、図６に示される変形例と同様に、各プリズム１１に対して、第１の光源４が有する複数の発光素子からの光が入射するように、各発光素子からの光が拡がりながら導光板３に入射するように各発光素子が配置されてもよい。この場合も、表示装置１は、第１の光源４から発した光を、複数の互いに異なる方向へ向けて透明液晶パネル２を透過させることができる。そのため、制御部９が、第１の方向の光が通る画素群について、被写体を第１の方向から見た映像を表示させるよう、第１の方向の光の偏光面を回転させる電圧を印加し、第２の方向の光が通る画素群について、被写体を第２の方向から見た映像を表示させるよう、第２の方向の光の偏光面を回転させる電圧を印加することで、表示装置１は、立体的に見える映像を、表示物体１０に重畳させることができる。
【００７７】
さらにまた、図７に示される変形例についても、個々の拡散シート１４及び第２の偏光子７の組み合わせごとに、液晶パネル２上で、その組み合わせを通って拡散される第１の光源４からの光のうちの第１の方向の光が通る画素と第２の方向の光が通る画素が設けられればよい。この場合も、制御部９が、第１の方向の光が通る画素群について、被写体を第１の方向から見た映像を表示させるよう、第１の方向の光の偏光面を回転させる電圧を印加し、第２の方向の光が通る画素群について、被写体を第２の方向から見た映像を表示させるよう、第２の方向の光の偏光面を回転させる電圧を印加することで、表示装置５１は、立体的に見える映像を、表示物体１０に重畳させることができる。
【００７８】
上記の実施形態または変形例による表示装置は、弾球遊技機または回胴遊技機といった遊技機に搭載されてもよい。
図１２は、上記の実施形態または変形例による表示装置を有する弾球遊技機を遊技者側から見た、その弾球遊技機の概略斜視図である。備えた弾球遊技機１００の概略斜視図である。図１２に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた表示装置１０４とを有する。
【００７９】
また弾球遊技機１００は、遊技の演出のために、遊技盤１０１の前面において遊技盤１０１の下方に配置された固定役物部１０５と、遊技盤１０１と固定役物部１０５との間に配置された可動役物部１０６とを有する。また遊技盤１０１の側方にはレール１０７が配設されている。また遊技盤１０１上には多数の障害釘（図示せず）及び少なくとも一つの入賞装置１０８が設けられている。
【００８０】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路（図示せず）は、遊技球が入った入賞装置１０８に応じた所定個の遊技球を玉払い出し装置（図示せず）を介して球受け部１０２へ払い出す。さらに主制御回路は、遊技盤１０１の背面に設けられた演出用CPU（図示せず）を介して表示装置１０４を駆動する。
【００８１】
表示装置１０４は、上記の実施形態または変形例による表示装置の一例であり、透明液晶パネルの正面側が遊技者へ向くように遊技盤１０１に取り付けられる。そして表示装置１０４の制御部は、遊技の状態に応じた、演出用CPUからの制御信号に応じて、表示装置１０４の背後に配置された表示物体（図示せず）を遊技者が視認できるようにしたり、あるいは、表示物体とともに、透明液晶パネル上に遊技状態に応じた映像を表示させる。
【００８２】
このように、当業者は、本発明の範囲内で、実施される形態に合わせて様々な変更を行うことができる。
【符号の説明】
【００８３】
１、４１、５１、６１、７１、８１、８２    表示装置
２    液晶パネル
３、３２    導光板
３１    プリズムシート
３ａ、３２ａ    入射面
３ｂ、３２ｂ    拡散面
３ｃ    出射面
４    第１の光源
５    第２の光源
６    第１の偏光子
７    第２の偏光子
８    第３の偏光子
９    制御部
１１、１３、１５、１６    プリズム
１２    コリメートレンズ
１４    拡散シート
１０    表示物体
１００    弾球遊技機
１０１    遊技盤
１０２    球受け部
１０３    操作部
１０４    表示装置
１０５    固定役物部
１０６    可動役物部
１０７    レール
１０８    入賞装置
【図１】
0006657852.tif 000002
【図２】
0006657852.tif 000003
【図３】
0006657852.tif 000004
【図４】
0006657852.tif 000005
【図５】
0006657852.tif 000006
【図６】
0006657852.tif 000007
【図７】
0006657852.tif 000008
【図８】
0006657852.tif 000009
【図９】
0006657852.tif 000010
【図１０】
0006657852.tif 000011
【図１１】
0006657852.tif 000012
【図１２】
0006657852.tif 000013